(57)【特許請求の範囲】
【請求項１】
ユーザが訪問しようとする施設である目的施設の前に立ち寄ることが可能な施設である立寄施設の情報を提示する立寄施設情報提示システムであって、
前記ユーザ以外の他人について、訪問した施設である訪問施設の情報とこの訪問施設を訪問する前に立ち寄った立寄施設の情報とを含む訪問履歴を取得する訪問履歴取得手段と、
前記ユーザの目的施設の情報及び前記他人の訪問履歴に基づいて、前記目的施設を前記訪問施設とする立寄施設のリストである立寄施設リストを作成する立寄施設リスト作成手段と、
前記立寄施設リスト作成手段によって作成された立寄施設リストをユーザに提示する立寄施設情報提示手段とを備え、
前記訪問履歴取得手段は、他人についてだけでなく、ユーザについても、訪問した施設である訪問施設の情報とこの訪問施設を訪問する前に立ち寄った施設である立寄施設の情報とを含む訪問履歴を取得するものであり、
前記訪問履歴取得手段によって取得された訪問履歴に基づいて、前記ユーザが、目的施設を訪問する前に立寄施設に立ち寄るユーザであるか、立寄施設に立ち寄ることなく目的施設を訪問するユーザであるか判別するユーザ判別手段をさらに備えることを特徴とする立寄施設情報提示システム。
【請求項２】
ユーザが訪問しようとする施設である目的施設の前に立ち寄ることが可能な施設である立寄施設の情報を提示する立寄施設情報提示システムであって、
前記ユーザ以外の他人について、訪問した施設である訪問施設の情報とこの訪問施設を訪問する前に立ち寄った立寄施設の情報とを含む訪問履歴を取得する訪問履歴取得手段と、
前記ユーザの目的施設の情報及び前記他人の訪問履歴に基づいて、前記目的施設を前記訪問施設とする立寄施設のリストである立寄施設リストを作成する立寄施設リスト作成手段と、
前記立寄施設リスト作成手段によって作成された立寄施設リストをユーザに提示する立寄施設情報提示手段と、
前記ユーザ以外の他人について、前記立寄施設で購入した購入品の情報である購入品情報を取得する購入品情報取得手段と、
前記ユーザについて、前記立寄施設で購入する予定の購入品の情報である購入予定品情報を取得する購入予定品情報取得手段とを備え、
前記立寄施設リスト作成手段は、前記ユーザの目的施設の情報及び前記他人の訪問履歴に加え、前記他人の前記購入品情報にも基づいて、前記立寄施設リストとして、前記目的施設を前記訪問施設とする立寄施設及びその立寄施設での購入品のリストを作成し、
前記立寄施設情報提示手段は、前記立寄施設リストに含まれる立寄施設のうち他人により購入予定品が購入された立寄施設の情報をユーザに提示することを特徴とする立寄施設情報提示システム。
【請求項３】
請求項１または２に記載の立寄施設情報提示システムにおいて、
前記立寄施設リスト作成手段は、前記立寄施設リストとして、前記目的施設を前記訪問施設とする立寄施設とこの立寄施設を訪問した頻度とのリストを作成し、
前記立寄施設情報提示手段は、前記立寄施設リストに含まれる立寄施設のうち頻度の高い立寄施設の情報をユーザに提示することを特徴とする立寄施設情報提示システム。
【請求項４】
請求項１〜３のいずれか一項に記載の立寄施設情報提示システムにおいて、
前記訪問履歴取得手段は、他人についてだけでなく、ユーザについても、訪問した施設である訪問施設の情報とこの訪問施設を訪問する前に立ち寄った施設である立寄施設の情報とを含む訪問履歴を取得するものであり、
前記立寄施設情報提示手段は、前記立寄施設リストに含まれる立寄施設のうちユーザが立ち寄ったことのない立寄施設の情報をユーザに提示することを特徴とする立寄施設情報提示システム。
【請求項５】
請求項１〜４のいずれか一項に記載の立寄施設情報提示システムにおいて、
前記訪問履歴取得手段は、他人についてだけでなく、ユーザについても、訪問した施設である訪問施設の情報とこの訪問施設を訪問する前に立ち寄った施設である立寄施設の情報とを含む訪問履歴を取得するものであり、
前記立寄施設情報提示手段は、前記立寄施設リストに含まれる立寄施設のうちユーザが立ち寄ったことのある立寄施設と同じ種類の立寄施設の情報を提示することを特徴とする立寄施設情報提示システム。
【請求項６】
請求項１〜５のいずれか一項に記載の立寄施設情報提示システムにおいて、
ユーザの訪問履歴及び他人の訪問履歴に基づいて、前記訪問履歴取得手段によって訪問履歴が取得された他人の中から目的施設の選択に係る嗜好がユーザと近い他人を抽出する他人抽出手段をさらに備え、
前記立寄施設リスト作成手段は、前記ユーザの目的施設の情報及び前記他人抽出手段によって抽出された他人の訪問履歴に基づいて、前記目的施設を前記訪問施設とする立寄施設とこの立寄施設を訪問した頻度とのリストである立寄施設リストを作成することを特徴とする立寄施設情報提示システム。
【請求項７】
請求項６に記載の立寄施設情報提示システムにおいて、
前記他人抽出手段は、訪問施設の所定の特徴パラメータを縦軸及び横軸としたグラフにおけるユーザの訪問施設の分布から算出される直線の傾きと、同一の特徴パラメータを縦軸及び横軸としたグラフにおける他人の訪問施設の分布から算出される直線の傾きとの比較結果に基づいて、前記目的施設の選択に係る嗜好がユーザと近い他人を抽出することを特徴とする立寄施設情報提示システム。
【請求項８】
請求項７に記載の立寄施設情報提示システムにおいて、
前記所定の特徴パラメータには、訪問施設の利用料、訪問施設の予算、訪問施設の収容人数、訪問施設の古さ、訪問施設の駐車場の広さ、訪問施設の最寄駅からの距離が含まれることを特徴とする立寄施設情報提示システム。
【請求項９】
請求項２に記載の立寄施設情報提示システムにおいて、
前記立寄施設情報提示手段は、前記立寄施設リストに含まれる立寄施設のうち購入予定品が購入された立寄施設の数が所定数以下である場合には、購入予定品が購入されたか否かに関わらず、購入予定品が購入されていない立寄施設の情報をユーザに提示することを特徴とする立寄施設情報提示システム。
【請求項１０】
請求項１〜９のいずれか一項に記載の立寄施設情報提示システムにおいて、
前記ユーザ以外の他人について、同行者の有無を判断する同行者判断手段をさらに備えており、
前記立寄施設リスト作成手段は、前記立寄施設リストとして、前記目的施設を前記訪問施設とする立寄施設とこの立寄施設の立ち寄り時における同行者の有無に係る判断結果とのリストを作成することを特徴とする立寄施設情報提示システム。
【請求項１１】
請求項１０に記載の立寄施設情報提示システムにおいて、
前記同行者判断手段は、前記ユーザ以外の他人について、同行者の有無に加え、同行者の人数を判断し、
前記立寄施設リスト作成手段は、前記立寄施設リストとして、前記目的施設を前記訪問施設とする立寄施設と、この立寄施設の立ち寄り時における同行者の有無および同行者の人数に係る判断結果とのリストを作成することを特徴とする立寄施設情報提示システム。
【請求項１２】
請求項１０または１１に記載の立寄施設情報提示システムにおいて、
前記同行者判断手段は、他人についてだけでなく、ユーザについても、同行者の有無を判断するものであり、
前記立寄施設情報提示手段は、前記ユーザに同行者は無いとの判断結果である場合には、前記立寄施設リストに含まれる立寄施設のうち同行者は無いとの判断結果であった立寄施設の情報をユーザに提示する一方、前記ユーザに同行者が有るとの判断結果である場合には、前記立寄施設リストに含まれる立寄施設のうち同行者が有るとの判断結果であった立寄施設の情報をユーザに提示することを特徴とする立寄施設情報提示システム。
【請求項１３】
請求項１２に記載の立寄施設情報提示システムにおいて、
前記立寄施設情報提示手段は、前記立寄施設リストに含まれる立寄施設のうち前記ユーザに同行者は無いとの判断結果であった立寄施設の数が所定数以下である場合には、同行者の有無に関わらず、立寄施設の情報をユーザに提示することを特徴とする立寄施設情報提示システム。
【請求項１４】
請求項１２または１３に記載の立寄施設情報提示システムにおいて、
前記立寄施設情報提示手段は、前記立寄施設リストに含まれる立寄施設のうち前記ユーザに同行者は有るとの判断結果であった立寄施設の数が所定数以下である場合には、同行者の有無に関わらず、立寄施設の情報をユーザに提示することを特徴とする立寄施設情報提示システム。
【請求項１５】
請求項１〜１４のいずれか一項に記載の立寄施設情報提示システムにおいて、
前記訪問履歴取得手段は、前記ユーザ以外の他人が立ち寄った前記立寄施設が複数の店舗が集合して構成されたショッピングモールである場合には、前記他人の訪問履歴を構成する立寄施設の情報として、ショッピングモール名だけでなく店舗名も取得し、
前記立寄施設リスト作成手段は、ショッピングモール名及び店舗名にて、前記立寄施設リストを作成することを特徴とする立寄施設情報提示システム。
【発明の詳細な説明】
【技術分野】
【０００１】
本発明は、ユーザが訪問しようとする施設である目的施設の前に立ち寄ることが可能な施設である立寄施設の情報を提示する立寄施設情報提示システムに関する。
【背景技術】
【０００２】
従来、例えば特許文献１に記載の技術が知られている。この特許文献１には、訪問した場所データとその状況データとを関連付けて取得し、場所の訪問履歴データを収集する。この訪問履歴データを解析することによって、嗜好や場所訪問パターンなどの特性を抽出し、嗜好や訪問パターンに合致する訪問場所を提示する技術が記載されている。
【０００３】
また従来、例えば特許文献２に記載の技術が知られている。この特許文献２には、ユーザの嗜好情報だけではなく、このユーザの嗜好情報と類似した嗜好情報を有する他のユーザが過去に訪れた目的地訪問情報にも基づいて、目的施設及びこの目的施設までの経路案内を含む目的施設経路案内情報を提供する技術が記載されている。
【先行技術文献】
【特許文献】
【０００４】
【特許文献１】特開２０００−１５５７５７号公報
【特許文献２】特開２００３−１８５４５２号公報
【発明の概要】
【発明が解決しようとする課題】
【０００５】
ところで、花屋に立ち寄って花を購入した後に墓地を訪問し花を供える、花屋に立ち寄って花を購入した後に病院を訪問し患者を見舞う、弁当屋に立ち寄って弁当を購入した後に公園を訪問し弁当を食べる、コンビニエンスストアに立ち寄ってドリンクを購入した後に体育館を訪問し運動する等々、訪問しようとする施設である目的施設とその目的施設を訪問する前に立ち寄る立寄施設との間には、深い関係性があり、ユーザの意図が反映される。
【０００６】
上記特許文献１に記載の技術は、訪問履歴データを解析することにより嗜好や訪問パターンに合致する訪問場所を提示するものであることから、目的施設を選択したユーザの意図が反映された立寄施設の情報を提示することはできない。
【０００７】
また、上記特許文献２に記載の技術は、ユーザの目的施設の選択に係る嗜好に近い他人の訪問履歴に基づいて目的施設及びこの目的施設までの経路案内情報を提示するものであることから、目的施設を選択したユーザの意図が反映された立寄施設の情報を提示することはできない。
【０００８】
本発明は、上記実情に鑑みてなされたものであって、その目的は、目的施設を選択したユーザの意図が反映された立寄施設の情報を提示することのできる立寄施設情報提示システムを提供することにある。
【課題を解決するための手段】
【０００９】
こうした目的を達成するため、請求項１に記載の発明では、ユーザが訪問しようとする施設である目的施設の前に立ち寄ることが可能な施設である立寄施設の情報を提示する立寄施設情報提示システムであって、ユーザ以外の他人について、訪問した施設である訪問施設の情報とこの訪問施設を訪問する前に立ち寄った立寄施設の情報とを含む訪問履歴を取得する訪問履歴取得手段と、ユーザの目的施設の情報及び他人の訪問履歴に基づいて、目的施設を訪問施設とする立寄施設のリストである立寄施設リストを作成する立寄施設リスト作成手段と、立寄施設リスト作成手段によって作成された立寄施設リストをユーザに提示する立寄施設情報提示手段とを備え、訪問履歴取得手段は、他人についてだけでなく、ユーザについても、訪問した施設である訪問施設の情報とこの訪問施設を訪問する前に立ち寄った施設である立寄施設の情報とを含む訪問履歴を取得するものであり、訪問履歴取得手段によって取得された訪問履歴に基づいて、ユーザが、目的施設を訪問する前に立寄施設に立ち寄るユーザであるか、立寄施設に立ち寄ることなく目的施設を訪問するユーザであるか判別するユーザ判別手段をさらに備えることを特徴とする。
また、上記目的を達成するため、請求項２記載の発明では、ユーザが訪問しようとする施設である目的施設の前に立ち寄ることが可能な施設である立寄施設の情報を提示する立寄施設情報提示システムであって、ユーザ以外の他人について、訪問した施設である訪問施設の情報とこの訪問施設を訪問する前に立ち寄った立寄施設の情報とを含む訪問履歴を取得する訪問履歴取得手段と、ユーザの目的施設の情報及び他人の訪問履歴に基づいて、目的施設を訪問施設とする立寄施設のリストである立寄施設リストを作成する立寄施設リスト作成手段と、立寄施設リスト作成手段によって作成された立寄施設リストをユーザに提示する立寄施設情報提示手段と、ユーザ以外の他人について、立寄施設で購入した購入品の情報である購入品情報を取得する購入品情報取得手段と、ユーザについて、立寄施設で購入する予定の購入品の情報である購入予定品情報を取得する購入予定品情報取得手段とを備え、立寄施設リスト作成手段は、ユーザの目的施設の情報及び他人の訪問履歴に加え、他人の購入品情報にも基づいて、立寄施設リストとして、目的施設を訪問施設とする立寄施設及びその立寄施設での購入品のリストを作成し、立寄施設情報提示手段は、立寄施設リストに含まれる立寄施設のうち他人により購入予定品が購入された立寄施設の情報をユーザに提示することを特徴とする。
【００１０】
＜請求項１、２に係る発明に共通の効果＞
立寄施設情報提示システムとしての上記構成では、立寄施設リストは、立寄施設リスト作成手段によって他人の訪問履歴に基づいて作成され、立寄施設情報提示手段によってユーザに提示される。このとき、他人の訪問履歴には、ユーザと同一の意図をもって訪問施設を選択した他人の訪問履歴が含まれることが多く、立寄施設リストには、ユーザと同一の意図をもって訪問施設を選択した他人が立ち寄った立寄施設が含まれることが多い。そのため、目的施設を選択したユーザの意図が反映された立寄施設の情報を提示することができるようになる。
＜請求項１に係る発明に特有の効果＞
また、ユーザには、目的施設を訪問する前に立寄施設に立ち寄るユーザや、立寄施設に立ち寄ることなく目的施設を直接訪問するユーザがいる。上記請求項１に記載の構成によれば、ユーザの訪問履歴に基づいて、ユーザが前者のユーザであるか後者のユーザであるか判別することができるようになる。
具体的には、例えば、ユーザ判別手段は、目的施設を訪問する前に立寄施設に立ち寄った訪問履歴の回数が、立寄施設に立ち寄ることなく目的施設を直接訪問した訪問履歴の回数を上回る場合には、当該ユーザは「目的施設を訪問する前に立寄施設に立ち寄る」ユーザであると判別することができ、逆に、立寄施設に立ち寄ることなく目的施設を直接訪問した訪問履歴の回数が、目的施設を訪問する前に立寄施設に立ち寄った訪問履歴の回数以上である場合には、当該ユーザは「立寄施設に立ち寄ることなく目的施設を直接訪問する」ユーザであると判別することができる。
＜請求項２に係る発明に特有の効果＞
立寄施設には、独立した専門店だけが含まれるだけでなく、専門店等の店舗が集合して構成されたショッピングモールも含まれる。立寄施設リストに独立した専門店がある場合、専門店で購入可能な品物の種類は限られることから、ユーザは、他人がその専門店に立ち寄った意図、ひいては目的施設を選択した意図を把握することができるものの、立寄施設リストにショッピングモールがある場合には、ショッピングモールで購入可能な品物の種類は多様であることから、ユーザは、他人がそのショッピングモールに立ち寄った意図、ひいては目的施設を選択した意図を把握することが難しい。
そこで、請求項２に記載の発明では、ユーザ以外の他人について、立寄施設で購入した購入品の情報である購入品情報を取得する購入品情報取得手段をさらに備え、立寄施設リスト作成手段は、ユーザの目的施設の情報及び他人の訪問履歴に加え、他人の購入品情報にも基づいて、立寄施設リストとして、目的施設を訪問施設とする立寄施設及びその立寄施設での購入品のリストを作成することとした。
これにより、立寄施設情報提示手段にて提示された立寄施設リストには購入品情報も含まれるため、ユーザは、他人がその立寄施設に立ち寄った意図、ひいては目的施設を選択した意図をより精度良く把握することができるようになる。
また、請求項２に係る発明では、ユーザについて、立寄施設で購入する予定の購入品の情報である購入予定品情報を取得する購入予定品情報取得手段をさらに備え、立寄施設情報提示手段は、立寄施設リストに含まれる立寄施設のうち他人により購入予定品が購入された立寄施設の情報をユーザに提示する。これにより、ユーザが目的施設を選択した意図と同一の意図をもって他人が立ち寄った立寄施設のリストを提示することができるようになる。
【００１１】
請求項３に記載の発明では、立寄施設リスト作成手段は、立寄施設リストとして、目的施設を訪問施設とする立寄施設とこの立寄施設を訪問した頻度とのリストを作成し、立寄施設情報提示手段は、立寄施設リストに含まれる立寄施設のうち頻度の高い立寄施設の情報をユーザに提示することとした。これにより、他人が頻繁に訪問した立寄施設の情報をユーザに提示することができるようになる。なお、立寄施設情報提示手段は、高頻度順に所定順位までの立寄施設の情報をユーザに提示してもよく、高頻度順に上位から所定割合内の立寄施設の情報をユーザに提示してもよい。
【００１５】
上記請求項１〜３のいずれか一項に記載の構成において、請求項４に記載の発明のように、訪問履歴取得手段は、他人についてだけでなく、ユーザについても、訪問した施設である訪問施設の情報とこの訪問施設を訪問する前に立ち寄った施設である立寄施設の情報とを含む訪問履歴を取得するものであり、立寄施設情報提示手段は、立寄施設リストに含まれる立寄施設のうちユーザが立ち寄ったことのない立寄施設の情報をユーザに提示してもよい。これにより、ユーザは、当該ユーザは立ち寄ったことはないが他人は立ち寄ったことのある立寄施設の情報を取得することができるようになる。
【００１６】
上記請求項１〜４のいずれかに記載の構成において、請求項５に記載の発明のように、訪問履歴取得手段は、他人についてだけでなく、ユーザについても、訪問した施設である訪問施設の情報とこの訪問施設を訪問する前に立ち寄った施設である立寄施設の情報とを含む訪問履歴を取得するものであり、立寄施設情報提示手段は、立寄施設リストに含まれる立寄施設のうちユーザが立ち寄ったことのある立寄施設と同じ種類の立寄施設の情報を提示してもよい。これにより、当該ユーザが立ち寄ったことのある立寄施設と同じ種類の他人が立ち寄った立寄施設の情報を提示することができるようになる。
【００１７】
なお、この請求項５に記載の構成は、上記請求項４に記載の構成と併用することが可能であり、併用する場合には、当該ユーザが立ち寄ったことのない立寄施設であって、且つ、当該ユーザが立ち寄ったことのある立寄施設と同じ種類の立寄施設、すなわちユーザが立ち寄るとうれしい立寄施設の情報を提示することができるようになる。
【００１８】
上記請求項１〜５のいずれか一項に記載の構成において、請求項６に記載の発明では、ユーザの訪問履歴及び他人の訪問履歴に基づいて、訪問履歴取得手段によって訪問履歴が取得された他人の中から施設の選択に係る嗜好がユーザと近い他人を抽出する他人抽出手段をさらに備え、立寄施設リスト作成手段は、ユーザの目的施設の情報及び他人抽出手段によって抽出された他人の訪問履歴に基づいて、目的施設を前記訪問施設とする立寄施設とこの立寄施設を訪問した頻度とのリストである立寄施設リストを作成することとした。これにより、施設の選択に係る嗜好がユーザと近い他人の訪問履歴に基づき立寄施設の情報が提示されることから、目的施設を選択したユーザの意図がより反映された立寄施設の情報を提示することができるようになる。
【００１９】
上記請求項６に記載の構成において、請求項７に記載の発明のように、他人抽出手段は、訪問施設の所定の特徴パラメータを縦軸及び横軸としたグラフにおけるユーザの訪問施設の分布から算出される直線の傾きと、同一の特徴パラメータを縦軸及び横軸としたグラフにおける他人の訪問施設の分布から算出される直線の傾きとの比較結果に基づいて、目的施設の選択に係る嗜好がユーザと近い他人を抽出するとよい。
【００２０】
具体的には、他人抽出手段は、他人の訪問施設の分布から算出される直線の傾きがユーザの訪問施設の分布から算出される直線の傾きと同一の場合、あるいは、ユーザの訪問施設の分布から算出される直線の傾きを中心として所定範囲（例えば５％）内の傾きである場合に、目的施設の選択に係る嗜好が近い他人として抽出するとよい。
【００２１】
また、上記請求項７に記載の構成において、請求項８に記載の発明のように、所定の特徴パラメータには、訪問施設の利用料、訪問施設の予算、訪問施設の収容人数、訪問施設の古さ、訪問施設の駐車場の広さ、訪問施設の最寄駅からの距離が含まれることとしてもよい。
【００２６】
なお、上記請求項２に記載の構成において、請求項９に記載の発明のように、立寄施設情報提示手段は、立寄施設リストに含まれる立寄施設のうち購入予定品が購入された立寄施設の数が所定数以下である場合には、購入予定品が購入されていない立寄施設の情報も参考までにユーザに提示するとよい。この場合、購入予定品が購入されていない立寄施設の情報については、単なる参考情報として提示する旨も併せて提示することが望ましい。
【００２７】
また、上記購入品情報取得手段として、ユーザ及びこのユーザ以外の他人による操作により立寄施設情報及び購入品情報を取得する操作入力装置を採用することができる。他にも、上記購入品情報取得手段として、立寄施設で発行された領収書の画像認識により、立寄施設及び購入品情報を取得する画像認識装置を採用することができる。また他にも、上記購入品情報取得手段として、ユーザ及びこのユーザ以外の他人による操作により立寄施設で使用されたクレジットカードの番号を入力する操作入力装置と、この操作入力装置によって入力されたクレジットカードの番号に基づいて立寄施設情報及び購入品情報を提供するカード会社側装置とを採用することができる。さらに他にも、上記購入品情報取得手段として、ユーザ及びこのユーザ以外の他人によって立寄施設で使用されたクレジットカードを差し込むとともに差し込まれたクレジットカードの番号を読み出す読出装置と、この読出装置によって読み出されたクレジットカードの番号に基づいて立寄施設情報及び購入品情報を提供するカード会社側装置とを採用することができる。
【００２８】
また、上記請求項２、９に記載の構成では、購入品情報取得手段は、購入品の情報である購入品情報を取得していたが、購入品情報に替えて、あるいは、購入品情報に加えて、購入品が属するカテゴリ情報を取得してもよい。同様に、上記請求項２に記載の構成では、購入予定品情報取得手段は、購入予定品の情報である購入予定品情報を取得していたが、購入予定品情報に替えて、あるいは、購入予定品情報に加えて、購入予定品が属するカテゴリ情報を取得してもよい。
【００２９】
またところで、ユーザであろうと、ユーザ以外の他人であろうと、同行者が有る場合と同行者が無い場合との間には、立寄施設に差異が生じることが考えられる。この点、上記請求項１〜９のいずれかに記載の構成において、請求項１０に記載の発明のように、ユーザ以外の他人について、同行者の有無を判断する同行者判断手段をさらに備えており、立寄施設リスト作成手段は、立寄施設リストとして、目的施設を訪問施設とする立寄施設とこの立寄施設の立ち寄り時における同行者の有無に係る判断結果とのリストを作成するとよい。これにより、同行者が有る場合と同行者が無い場合とを区別して、立寄施設リストを提示することができるようになる。
また、請求項１１に記載の発明のように、同行者判断手段は、ユーザ以外の他人について、同行者の有無に加え、同行者の人数を判断し、立寄施設リスト作成手段は、立寄施設リストとして、目的施設を訪問施設とする立寄施設と、この立寄施設の立ち寄り時における同行者の有無および同行者の人数に係る判断結果とのリストを作成することがさらに好ましい。
これにより、同行者が有る場合と同行者が無い場合とを区別するだけでなく、同行者の人数まで示して、立寄施設リストを提示することができるようになる。
【００３０】
なお、上記請求項１０または１１に記載の構成において、請求項１２に記載の発明のように、同行者判断手段は、他人についてだけでなく、ユーザについても、同行者の有無を判断するものであり、立寄施設情報提示手段は、ユーザに同行者は無いとの判断結果である場合には、立寄施設リストに含まれる立寄施設のうち同行者は無いとの判断結果であった立寄施設の情報をユーザに提示する一方、ユーザに同行者が有るとの判断結果である場合には、立寄施設リストに含まれる立寄施設のうち同行者が有るとの判断結果であった立寄施設の情報をユーザに提示するとよい。
【００３１】
ただし、上記請求項１２に記載の構成において、請求項１３に記載の発明のように、立寄施設情報提示手段は、立寄施設リストに含まれる立寄施設のうちユーザに同行者は無いとの判断結果であった立寄施設の数が所定数以下である場合には、同行者の有無に関わらず、立寄施設の情報をユーザに提示してもよい。この場合、立寄施設リストに含まれる立寄施設のうち同行者が有るとの判断結果であった立寄施設の情報については、単なる参考情報として提示する旨も併せて提示することが望ましい。
【００３２】
同様に、上記請求項１２または１３に記載の構成において、請求項１４に記載の発明のように、立寄施設情報提示手段は、立寄施設リストに含まれる立寄施設のうちユーザに同行者は有るとの判断結果であった立寄施設の数が所定数以下である場合には、同行者の有無に関わらず、立寄施設の情報をユーザに提示してもよい。この場合、立寄施設リストに含まれる立寄施設のうち同行者が無いとの判断結果であった立寄施設の情報については、単なる参考情報として提示する旨も併せて提示することが望ましい。
【００３３】
上記請求項１〜１４のいずれかに記載の構成において、請求項１５に記載の発明のように、訪問履歴取得手段は、ユーザ以外の他人が立ち寄った立寄施設が複数の店舗が集合して構成されたショッピングモールである場合には、他人の訪問履歴を構成する立寄施設の情報として、ショッピングモール名だけでなく店舗名も取得し、立寄施設リスト作成手段は、ショッピングモール名及び店舗名にて、立寄施設リストを作成することとしてもよい。
【図面の簡単な説明】
【００３４】
【図１】本発明に係る立寄施設情報提示システムの第１の実施の形態について、（ａ）はユーザ側装置の構成を示すブロック図であり、（ｂ）はセンター側装置の構成を示すブロック図である。
【図２】第１の実施の形態を構成するセンター側装置によってユーザと嗜好が近い他人を抽出する際に用いられるグラフの一例を示す図である。
【図３】第１の実施の形態を構成するセンター側装置によって作成される立寄施設リストの一例を示す図である。
【図４】第１の実施の形態によって実行される立寄施設情報提示処理の処理手順を示すフローチャートである。
【図５】本発明に係る立寄施設情報提示システムの第２の実施の形態について、（ａ）はユーザ側装置の構成を示すブロック図であり、（ｂ）はセンター側装置の構成を示すブロック図である。
【図６】第２の実施の形態を構成するセンター側装置によって作成される立寄施設リストの一例を示す図である。
【図７】第２の実施の形態によって実行される立寄施設情報提示処理の処理手順を示すフローチャートである。
【図８】本発明に係る立寄施設情報提示システムの第３の実施の形態について、（ａ）はユーザ側装置の構成を示すブロック図であり、（ｂ）はセンター側装置の構成を示すブロック図である。
【図９】第３の実施の形態を構成するセンター側装置によって作成される立寄施設リストの一例を示す図である。
【図１０】第３の実施の形態によって実行される立寄施設情報提示処理の処理手順を示すフローチャートである。
【発明を実施するための形態】
【００３５】
（第１の実施の形態）
以下、本発明に係る立寄施設情報提示システムの第１の実施の形態について、図１〜図４を参照して説明する。
【００３６】
図１に示されるように、本実施の形態の立寄施設情報提示システムは、ユーザ側装置として図示しない車両に搭載されたナビゲーション装置１００と、複数のナビゲーション装置１００（図１では１つのみ図示）との間でデータの送受信を行なうセンター側装置２００とを備えて構成されたナビゲーションシステムとして具体化されている。
【００３７】
図１（ａ）に示されるように、ナビゲーション装置１００は、地図情報記憶部１１０、ＧＰＳ受信部１２０、操作入力部１３０、ユーザ側制御部１４０、表示部１５０、音声出力部１６０、及びユーザ側データ通信部１７０とを備えて構成されている。ユーザ側制御部１４０は、公知のＣＰＵ及び内蔵メモリを有して構成されるコンピュータであり、そのＣＰＵが内蔵メモリに記憶されているプログラムを実行することによって各種機能を実現している。以下の説明では、便宜上、ユーザ側制御部１４０は、現在地検出部１４１、施設設定部１４２、経路探索部１４３、及び経路案内部１４４を有するものとして説明する。
【００３８】
地図情報記憶部１１０は、例えばハードディスクドライブ装置、ＤＶＤ（digital versatile disc）装置、ＣＤ(compact disc)装置、フラッシュメモリ等によって構成されており、地図情報が記憶されている。なお、地図情報には、各種施設の位置や種類（墓地、花屋、スーパー等）についての情報が含まれている。
【００３９】
ＧＰＳ受信部１２０は、例えば図示しないＧＰＳアンテナを有して構成されており、これも図示しない複数のＧＰＳ衛星から発せられるＧＰＳ信号を受信する。また、ＧＰＳ受信部１２０は、ユーザ側制御部１４０に接続されており、この受信したＧＰＳ信号をユーザ側制御部１４０に出力する。
【００４０】
操作入力部１３０は、例えばタッチパネルや音声入力装置等の適宜の入力装置にて構成されており、ユーザ側制御部１４０に接続されている。当該ナビゲーション装置１００のユーザは、この操作入力部１３０を操作することにより、経路案内を開始する出発地、訪問しようとする施設である目的施設、及びこの目的施設を訪問する前に立ち寄る立寄施設をユーザ側制御部１４０へ入力することができる。
【００４１】
現在地検出部１４１は、地図情報記憶部１１０及びＧＰＳ受信部１２０に接続されており、ＧＰＳ受信部１２０によって受信されるＧＰＳ信号を取得するとともに、地図情報記憶部１１０に記憶されている地図情報を読み出す。また、現在地検出部１４１は、経路案内部１４４に接続されており、これらＧＰＳ信号及び地図情報を利用して車両の現在地を検出する。また、車両の現在地の検出においては、当該ナビゲーション装置１００を搭載する車両の走行軌跡と地図情報に基づいて周知のマップマッチングを実行することで、ＧＰＳ信号に基づいて決定する現在地の誤差を補正する。そして、このようにして検出した車両の現在地の情報である現在地情報を経路案内部１４４に出力する。
【００４２】
施設設定部１４２は、操作入力部１３０から目的施設が入力された場合には、この目的施設に基づいて経路案内上の目的施設を設定する。また、施設設定部１４２は、操作入力部１３０から目的施設だけでなく立寄施設も入力された場合には、これら目的施設及び立寄施設に基づいて経路案内上の目的施設及び立寄施設を設定する。
【００４３】
経路探索部１４３は、地図情報記憶部１１０及び施設設定部１４２に接続されており、施設設定部１４２から目的施設の情報である目的施設情報を取得すると、操作入力部１３０から入力された出発地情報、施設設定部１４２から取得した目的施設情報、及び地図情報記憶部１１０から取得した地図情報を利用して、出発地から目的施設までの経路を探索する。また、経路探索部１４３は、施設設定部１４２から目的施設情報だけでなく立寄施設の情報である立寄施設情報も取得すると、操作入力部１３０から入力された出発地情報、施設設定部１４２から取得した目的施設情報及び立寄施設情報、並びに地図情報記憶部１１０から取得した地図情報を利用して、出発地から立寄施設を経由した目的施設までの経路を探索する。また、経路探索部１４３は経路案内部１４４に接続されており、目的施設までの経路を探索すると、その探索した経路の情報である経路情報を経路案内部１４４に出力する。
【００４４】
経路案内部１４４は、地図情報記憶部１１０、現在地検出部１４１、経路探索部１４３、例えばＬＣＤ等によって構成されている表示部１５０、及び例えばスピーカ等によって構成される音声出力部１６０に接続されている。経路案内部１４４は、経路案内を開始すると、現在地検出部１４１から入力される現在地情報及び経路探索部１４３から入力される経路情報に基づいて現在地を含む地図画像を描画し、その描画した地図画像を表示部１５０に表示させる。また、経路案内部１４４は、音声出力部１６０から音声案内あるいは警告音を出力してユーザに経路を案内する。なお、表示部１５０が特許請求の範囲に記載の立寄施設情報提示手段に相当する。
【００４５】
ユーザ側データ通信部１７０は、適宜の周波数帯の電波を送受信可能なアンテナを有して構成されているとともにユーザ側制御部１４０に接続されている。ユーザ側データ通信部１７０は、ユーザ側制御部１４０によって制御され、後述のセンター側装置２００との間でデータの送受信を行なう。
【００４６】
詳しくは、ユーザ側データ通信部１７０は、操作入力部１３０によってユーザ側制御部１４０に目的施設情報が入力されると、入力された目的施設情報をセンター側装置２００に対し上記データとして送信する。また、ユーザ側データ通信部１７０は、センター側装置２００から送信された立寄施設リスト、他人が良く立ち寄る立寄施設の情報、立ち寄るとうれしい立寄施設の情報（いずれも後述）等のデータを受信し、受信したデータをユーザ側制御部１４０に出力する。なお、このデータはユーザ側制御部１４０によって表示部１５０に画面表示される。また、ユーザ側データ通信部１７０は、経路案内部１４４による目的施設までの経路案内が完了すると、訪問した施設である訪問施設の情報と、この訪問施設を訪問する前に立ち寄った施設である立寄施設の情報と、立寄施設に立ち寄った日時の情報とを含む訪問履歴をセンター側装置２００に対し上記データとして送信する。
【００４７】
図１（ｂ）に示されるように、センター側装置２００は、センター側データ通信部２１０と、訪問履歴記憶部２２０と、施設情報記憶部２２１と、センター側制御部２３０とを備えて構成されている。センター側制御部２３０は、公知のＣＰＵ及び内蔵メモリを有して構成されるコンピュータであり、そのＣＰＵが内蔵メモリに記憶されているプログラムを実行することによって各種機能を実現している。以下の説明では、便宜上、センター側制御部２３０は、ユーザ判別部２３１、他人抽出部２３２、及び立寄施設リスト作成部２３３を有するものとして説明する。
【００４８】
センター側データ通信部２１０は、適宜の周波数帯の電波を送受信可能なアンテナを有して構成されているとともにセンター側制御部２３０に接続されている。センター側データ通信部２１０は、センター側制御部２３０によって制御され、複数のナビゲーション装置１００との間でデータの送受信を行なう。
【００４９】
詳しくは、センター側データ通信部２１０は、ナビゲーション装置１００から送信された目的施設情報を上記データとして受信すると、受信した目的施設情報をセンター側制御部２３０に出力する。また、センター側データ通信部２１０は、ナビゲーション装置１００から送信された訪問履歴を上記データとして受信すると、受信した訪問履歴をセンター側制御部２３０に出力する。また、センター側データ通信部２１０は、センター側制御部２３０から立寄施設リスト、他人が良く立ち寄る立寄施設の情報、立ち寄るとうれしい立寄施設の情報（いずれも後述）等のデータが入力されると、入力されたデータをナビゲーション装置１００に送信する。
【００５０】
なお、センター側データ通信部２１０が特許請求の範囲に記載の訪問履歴取得手段に相当する。また、センター側データ通信部２１０は複数のナビゲーション装置１００から目的施設情報や訪問履歴を取得するが、センター側装置２００に対し目的施設情報を送信したナビゲーション装置１００のユーザが特許請求の範囲に記載のユーザに相当し、このユーザ以外のユーザが特許請求の範囲に記載の他人に相当する。したがって、本実施の形態では、センター側データ通信部２１０は、他人についてのみでなく、ユーザに対しても、訪問履歴を取得する。
【００５１】
訪問履歴記憶部２２０は、例えば大規模なハードディスクドライブ装置等によって構成されており、センター側制御部２３０に接続されている。訪問履歴記憶部２２０は、センター側制御部２３０によって、複数のナビゲーション装置１００から送信された訪問履歴が適宜書き込まれたり読み出されたりする。
【００５２】
施設情報記憶部２２１は、訪問履歴記憶部２２０と同様に、例えば大規模なハードディスクドライブ装置等によって構成されており、センター側制御部２３０に接続されている。施設情報記憶部２２１には、例えば施設の利用料、施設の平均予算、施設の収容人数、施設の古さ、施設の駐車場の広さ、施設の最寄駅からの距離等々、施設ごとに予め設定された特徴パラメータが記憶されている。施設情報記憶部２２１は、センター側制御部２３０によって、パラメータが適宜読み出される。なお、施設の平均予算とは、施設を訪問した客が消費する平均的な金額を意味する。
【００５３】
ユーザ判別部２３１は、センター側データ通信部２１０及び訪問履歴記憶部２２０と接続されており、訪問履歴記憶部２２０に記憶されているユーザの訪問履歴に基づいて、当該ユーザが、目的施設を訪問する前に立寄施設に立ち寄るユーザであるか、立寄施設に立ち寄ることなく目的施設を訪問するユーザであるか判別する。具体的には、ユーザ判別部２３１は、センター側データ通信部２１０から目的施設情報が入力されると、そのユーザの訪問履歴を訪問履歴記憶部２２０から読み出し、目的施設を訪問する前に立寄施設に立ち寄った訪問履歴の回数が、立寄施設に立ち寄ることなく目的施設を直接訪問した訪問履歴の回数を上回る場合には、当該ユーザは目的施設を訪問する前に立寄施設に立ち寄るユーザであると判別する。逆に、ユーザ判別部２３１は、立寄施設に立ち寄ることなく目的施設を直接訪問した訪問履歴の回数が、目的施設を訪問する前に立寄施設に立ち寄った訪問履歴の回数以上である場合には、当該ユーザは立寄施設に立ち寄ることなく目的施設を直接訪問するユーザであると判別する。ただし、これは一例であって、例えば、訪問履歴から、立寄施設に立ち寄った比率を算出し、その比率が所定値以上か否かに応じて、立寄施設に立ち寄るユーザであるか否かを判別しても良い。また、ユーザ判別部２３１は、立寄施設リスト作成部２３３に接続されており、立寄施設リスト作成部２３３に対しユーザの判別結果を出力する。なお、ユーザ判別部２３１が特許請求の範囲に記載のユーザ判別手段に相当する。
【００５４】
他人抽出部２３２は、センター側データ通信部２１０、訪問履歴記憶部２２０、及び施設情報記憶部２２１と接続されており、センター側データ通信部２１０から目的施設情報が入力されると、訪問履歴記憶部２２０に記憶されているユーザの訪問履歴及び他人の訪問履歴、及び施設情報記憶部２２１に記憶されている施設の特徴パラメータに基づいて、目的施設の選択に係る嗜好がユーザと近い他人を抽出する。
【００５５】
具体的には、他人抽出部２３２は、センター側データ通信部２１０から目的施設情報が入力されると、そのユーザの訪問履歴を訪問履歴記憶部２２０から読み出すとともに、訪問施設の収容人数を縦軸とし訪問施設の平均予算を横軸としたグラフにおけるユーザの訪問施設の分布を直線に近似してその直線の傾きを算出する。同様に、他人抽出部２３２は、センター側データ通信部２１０から目的施設情報が入力されると、そのユーザ以外のユーザである他人の訪問履歴を訪問履歴記憶部２２０から読み出すとともに、訪問施設の収容人数を縦軸とし訪問施設の平均予算を横軸としたグラフにおける他人の訪問施設の分布を直線に近似してその直線の傾きを算出する。なお、この直線の傾きは公知の相関係数から求められる。相関係数とは、２つの変数（この場合、収容人数と平均予算）との間の相関を示す統計学的指標であり、「−１」から「＋１」の間の実数値をとり、「＋１」に近いときは２つの変数には正の相関があるといい、「−１」に近いときは負の相関がある。そして、他人抽出部２３２は、ユーザの直線の傾きと同一の傾きである他人、あるいは、ユーザの直線の傾きを中心として所定範囲（例えば５％）内の傾きに収まる他人を、目的施設の選択に係る嗜好が近い他人として抽出する。すなわち、他人抽出部２３２は、ユーザの直線の傾きと他人の直線の傾きとの比較結果に基づいて、目的施設の選択に係る嗜好がユーザと近い他人を抽出する。なお、図２に示すグラフは、目的施設の選択に係る嗜好がユーザと近い他人を抽出する際に、他人抽出部２３２が作成したグラフの一例を示す図である。
【００５６】
なお、本実施の形態では、訪問施設の特徴パラメータとして、訪問施設の収容人数及び訪問施設の平均予算を採用したが、これらに限らない。訪問施設の特徴パラメータとして、訪問施設の平均予算（入場料等の利用料等が決められている場合にはその利用料）、訪問施設の収容人数、訪問施設の古さ、訪問施設の駐車場の広さ、訪問施設の最寄駅からの距離等々のうち２つの特徴パラメータを採用することができる。また、２つの特徴パラメータに限らず、３つ以上の特徴パラメータを採用してもよい。また、他人抽出部２３２が特許請求の範囲に記載の他人抽出手段に相当する。
【００５７】
立寄施設リスト作成部２３３は、センター側データ通信部２１０及び訪問履歴記憶部２２０と接続されており、センター側データ通信部２１０から目的施設情報が入力されると、この目的施設情報を入力したユーザ以外のユーザである他人の訪問履歴のうち目的施設を訪問施設とする訪問履歴、すなわち目的施設を訪問したことのある他人の訪問履歴を訪問履歴記憶部２２０から読み出す。そして、立寄施設リスト作成部２３３は、目的施設を訪問施設とする立寄施設とこの立寄施設を訪問した頻度とのリストである立寄施設リストを作成し、センター側データ通信部２１０から送信する。
【００５８】
具体的には、図３に示すように、立寄施設リスト作成部２３３は、ユーザの目的施設が「墓地Ａ」であった場合、この「墓地Ａ」を訪問したことのある他人の訪問履歴を訪問履歴記憶部２２０から読み出し、「墓地Ａ」を訪問する前に立ち寄った立寄施設「花屋Ａ」「花屋Ｂ」「スーパー」とこれら立寄施設を訪問した頻度「１０」「６」「２」との立寄施設リストを作成する。
【００５９】
この図３に示した立寄施設リストの一例では、「墓地Ａ」を訪問した他人には、花屋Ａに立ち寄って花を購入した後に当該墓地Ａを訪問し花を供える他人、花屋Ｂに立ち寄って花を購入した後に当該墓地Ａを訪問し花を供える他人、及びスーパーに立ち寄って花を購入した後に当該墓地Ａを訪問し花を供える他人が含まれている。このように、訪問施設と立寄施設との間には、深い関係性があり、ユーザの意図が反映されることが分かる。なお、立寄施設リスト作成部２３３が特許請求の範囲に記載の立寄施設リスト作成手段に相当する。
【００６０】
ここで、本実施の形態では、立寄施設リスト作成部２３３は、ユーザ判別部２３１及び他人抽出部２３２にも接続されている。
【００６１】
立寄施設リスト作成部２３３は、他人抽出部２３２によって、訪問履歴記憶部２２０に記憶されている他人の訪問履歴から目的施設の選択に係る嗜好がユーザと近い他人の訪問履歴が抽出されなかった場合、ユーザの嗜好と関係なく立寄施設リストを作成する（後述のステップＳ１４ａの処理に相当）。そして、立寄施設リスト作成部２３３は、立寄施設リストをセンター側データ通信部２１０に出力する。
【００６２】
また、立寄施設リスト作成部２３３は、他人抽出部２３２によって、訪問履歴記憶部２２０に記憶されている他人の訪問履歴から目的施設の選択に係る嗜好がユーザと近い他人の訪問履歴が抽出された場合、ユーザ判別部２３１によって立寄施設に立ち寄ることなく目的施設を直接訪問すると判別された当該ユーザに対しては、目的施設を訪問したことがあり、且つ、目的施設の選択に係る嗜好がユーザと近い他人の訪問履歴を読み出して立寄施設リストを作成する（後述のステップＳ１４ｂの処理に相当）。そして、立寄施設リスト作成部２３３は、立寄施設リストをセンター側データ通信部２１０に出力する。
【００６３】
一方、立寄施設リスト作成部２３３は、他人抽出部２３２によって、訪問履歴記憶部２２０に記憶されている他人の訪問履歴から目的施設の選択に係る嗜好がユーザと近い他人の訪問履歴が抽出された場合、ユーザ判別部２３１によって目的施設を訪問する前に立寄施設に立ち寄ると判別された当該ユーザに対しては、次のようにする（後述のステップＳ１８の処理、ステップＳ１９の処理に相当）。
【００６４】
詳しくは、立寄施設リスト作成部２３３は、目的施設の選択に係る嗜好が当該ユーザと近い他人の訪問履歴に、当該ユーザが立ち寄ったことのない立寄施設が含まれていない場合、すなわち当該ユーザが立ち寄ったことのある立寄施設のみ含まれている場合、立寄施設リストを作成しない。
【００６５】
一方、立寄施設リスト作成部２３３は、目的施設の選択に係る嗜好が当該ユーザと近い他人の訪問履歴に、当該ユーザが立ち寄ったことのない立寄施設が含まれている場合、さらに当該ユーザが立ち寄ったことのある立寄施設と同じ種類（花屋、スーパー、コンビニ等）の立寄施設であるか否かを判断する。
【００６６】
同じ種類の立寄施設でない場合、立寄施設リスト作成部２３３は、その立寄施設、すなわち他人が良く立ち寄る立寄施設の情報を抽出する。そして、センター側制御部２３０は、こうして抽出された「他人が良く立ち寄る立寄施設」の情報をセンター側データ通信部２１０から送信する。
【００６７】
一方、同じ種類の立寄施設である場合、立寄施設リスト作成部２３３は、その立寄施設、すなわち「当該ユーザが立ち寄るとうれしい立寄施設」の情報を抽出する。そして、センター側制御部２３０は、こうして抽出された「当該ユーザが立ち寄るとうれしい立寄施設」の情報をセンター側データ通信部２１０から送信する。
【００６８】
以上のように構成された立寄施設情報提示システムは、図４に示す立寄施設情報提示処理Ｓ１を実行する。なお、ナビゲーション装置１００は、目的施設までの経路案内が完了すると、訪問施設情報と立寄施設情報とを含む訪問履歴をセンター側装置２００に対し送信しており、センター側装置２００は、ナビゲーション装置１００からの訪問履歴を訪問履歴記憶部２２０に記憶している。そして、訪問履歴記憶部２２０には、十分な数の訪問履歴が記憶されているものとする。
【００６９】
センター側装置２００は、ステップＳ１１の判断処理として、ナビゲーション装置１００から目的施設情報を受信したか否かを判断する。ここで、目的施設情報を受信していない場合（ステップＳ１１の処理で「Ｎｏ」）、ナビゲーション装置１００は目的施設までの経路案内を開始していないことを意味する。そのため、センター側装置２００は、このステップＳ１１の判断処理を再度実行する。換言すれば、センター側装置２００は、ステップＳ１１の判断処理を繰り返し実行することで、ナビゲーション装置１００による目的施設までの経路案内が開始されるまで待機する。
【００７０】
ナビゲーション装置１００から目的施設情報を受信すると（ステップＳ１１の判断処理で「Ｙｅｓ」）、センター側装置２００は、続くステップＳ１２の処理として、当該ユーザ以外のユーザである他人の訪問履歴に、当該ユーザの目的施設を訪問施設とする他人の訪問履歴があるか無いかを判断する。ここで、当該ユーザの目的施設を訪問施設とする他人の訪問履歴が無いと判断する場合（ステップＳ１２の判断処理で「Ｎｏ」）、そもそも当該ユーザの目的施設を訪問したことのある他人がいないことから、目的施設を選択したユーザの意図が反映された立寄施設の情報を提示することはできない。そのため、センター側装置２００は、そのまま処理Ｓ１を終了する。一方、当該ユーザの目的施設を訪問施設とする他人の訪問履歴が有ると判断する場合（ステップＳ１２の判断処理で「Ｙｅｓ」）、目的施設を選択したユーザの意図が反映された立寄施設の情報を提示することが可能である。そのため、センター側装置２００は、下記ステップＳ１３〜ステップＳ１９の処理を実行する。
【００７１】
ステップＳ１３の判断処理に移行すると、センター側装置２００は、当該ユーザの目的施設を訪問施設とする他人の訪問履歴に、当該ユーザと嗜好が近い他人の訪問履歴があるか無いかを判断する。ここで、当該ユーザと嗜好が近い他人の訪問履歴が無いと判断された場合（ステップＳ１３の判断処理で「Ｎｏ」）、センター側装置２００は、他人の立寄施設リストを作成し、ナビゲーション装置１００に送信する。立寄施設リストが送信されると、ナビゲーション装置１００は、続くステップＳ１４ａの処理として、他人の立寄施設リストを表示部１５０に表示する。一方、当該ユーザと嗜好が近い他人の訪問履歴があると判断された場合（ステップＳ１３の判断処理で「Ｙｅｓ」）、センター側装置２００は、続くステップＳ１５の判断処理に移行する。
【００７２】
なお、上記ステップＳ１４ａの処理にて表示される他人の立寄施設リストは、当該ユーザと嗜好が遠い他人の意図が反映された立寄施設リストであり、ナビゲーション装置１００はこの立寄施設リストを用いて所定順位（例えば「５位」）までの立寄施設の情報を表示部１５０に表示する。
【００７３】
ステップＳ１５の判断処理に移行すると、センター側装置２００は、当該ユーザが、目的施設を訪問する前に立寄施設に立ち寄るユーザであるか、立寄施設に立ち寄ることなく目的施設を訪問するユーザであるか判別する。ここで、当該ユーザが立寄施設に立ち寄ることなく目的施設を訪問するユーザであると判別した場合（ステップＳ１５の判断処理で「Ｎｏ」）、センター側装置２００は、他人の立寄施設リストを作成し、ナビゲーション装置１００に送信する。立寄施設リストが送信されると、ナビゲーション装置１００は、続くステップＳ１４ｂの処理として、当該ユーザと嗜好が近い他人の立寄施設リストを表示部１５０に表示する。一方、当該ユーザが立寄施設に立ち寄ってから目的施設を訪問するユーザであると判別した場合（ステップＳ１５の判断処理で「Ｙｅｓ」）、センター側装置２００は、続くステップＳ１６の判断処理に移行する。
【００７４】
なお、上記ステップＳ１４ｂの処理にて表示される他人の立寄施設リストは、当該ユーザと嗜好が近い他人の意図が反映された立寄施設リストであり、ナビゲーション装置１００はこの立寄施設リストを用いて所定順位（例えば「５位」）までの立寄施設の情報を表示部１５０に表示する。
【００７５】
ステップＳ１６の判断処理に移行すると、センター側装置２００は、目的施設を訪問施設とし且つ当該ユーザと嗜好が近い他人の訪問履歴に、当該ユーザが立ち寄ったことのない立寄施設があるかないかを判断する。ここで、当該ユーザが立ち寄ったことのない立寄施設がない場合（ステップＳ１６の判断処理で「Ｎｏ」）、当該ユーザにとって新しい立寄施設の情報を提示することができないことを意味する。そのため、センター側装置２００は、そのまま処理Ｓ１を終了する。一方、当該ユーザが立ち寄ったことのない立寄施設がある場合（ステップＳ１６の判断処理で「Ｙｅｓ」）、当該ユーザにとって新しい立寄施設の情報を提示することができることを意味する。そのため、センター側装置２００は、下記ステップＳ１７〜ステップＳ１９の処理を実行する。
【００７６】
ステップＳ１７の判断処理に移行すると、センター側装置２００は、当該ユーザが立ち寄ったことのない立寄施設が、当該ユーザが立ち寄ったことのある立寄施設と同じ種類の立寄施設であるか否かを判断する。
【００７７】
ここで、同じ種類の立寄施設でない場合（ステップＳ１７の判断処理で「Ｎｏ」）、センター側装置２００は、他人が良く立ち寄る立寄施設の情報をナビゲーション装置１００に送信する。他人が良く立ち寄る立寄施設の情報が送信されると、ナビゲーション装置１００は、続くステップＳ１８の処理として、当該ユーザが立ち寄ったことのある立寄施設と同じ種類の立寄施設ではないものの、他人が良く立ち寄る立寄施設の情報を表示部１５０に表示する。
【００７８】
一方、同じ種類の立寄施設である場合（ステップＳ１９の判断処理で「Ｙｅｓ」）、センター側装置２００は、立ち寄るとうれしい立寄施設の情報をナビゲーション装置１００に送信する。立ち寄るとうれしい立寄施設の情報が送信されると、ナビゲーション装置１００は、続くステップＳ１９の処理として、当該ユーザが立ち寄ったことのある立寄施設と同じ種類の立寄施設であることから、立ち寄るとうれしい立寄施設の情報を表示部１５０に提示する。
【００７９】
以上説明した第１の実施の形態では、センター側装置２００は、ユーザの目的施設を訪問施設とする他人の訪問履歴に、当該ユーザと嗜好が近い他人の訪問履歴があるか無いかを判断し、当該ユーザと嗜好が近い他人の訪問履歴が無いと判断された場合（ステップＳ１３の判断処理で「Ｎｏ」）、他人の立寄施設リストを作成してナビゲーション装置１００に送信する。そして、ナビゲーション装置１００は、受信した立寄施設リストを表示部１５０に表示することとした（ステップＳ１４ａの処理）。これにより、ナビゲーション装置１００は、当該ユーザと嗜好が近い他人ではないものの、意図が反映された立寄施設リストを表示部１５０に提示することができるようになる。
【００８０】
また、センター側装置２００は、ユーザが、目的施設を訪問する前に立寄施設に立ち寄るユーザであるか、立寄施設に立ち寄ることなく目的施設を訪問するユーザであるか判別し、当該ユーザが立寄施設に立ち寄ることなく目的施設を訪問するユーザであると判別した場合（ステップＳ１５の判断処理で「Ｎｏ」）、センター側装置２００は、当該ユーザと嗜好が近い他人の立寄施設リストを作成し、ナビゲーション装置１００に送信する。そして、ナビゲーション装置１００は、受信した立寄施設リストを表示部１５０に表示することとした（ステップＳ１４ｂの処理）。これにより、ナビゲーション装置１００は、立寄施設に立ち寄ることなく目的施設を直接訪問するユーザに対し、当該ユーザと嗜好が近い他人の意図が反映された立寄施設リストを表示部１５０に提示することができるようになる。
【００８１】
また、センター側装置２００は、目的施設を訪問施設とし且つ当該ユーザと嗜好が近い他人の訪問履歴に、当該ユーザが立ち寄ったことのない立寄施設があるかないかを判断し、当該ユーザが立ち寄ったことのない立寄施設がある場合（ステップＳ１６の判断処理で「Ｙｅｓ」）、さらに、当該ユーザが立ち寄ったことのない立寄施設が、当該ユーザが立ち寄ったことのある立寄施設と同じ種類の立寄施設であるか否かを判断し、同じ種類の立寄施設でない場合（ステップＳ１７の判断処理で「Ｎｏ」）、他人が良く立ち寄る立寄施設の情報をナビゲーション装置１００に送信する。そして、ナビゲーション装置１００は、受信した他人が良く立ち寄る立寄施設の情報を表示部１５０に表示することとした（ステップＳ１８の処理）。これにより、ナビゲーション装置１００は、当該ユーザが立ち寄ったことのある立寄施設と同じ種類の立寄施設ではないものの、当該ユーザにとって新しい立寄施設の情報を表示部１５０に提示することができるようになる。
【００８２】
また、センター側装置２００は、目的施設を訪問施設とし且つ当該ユーザと嗜好が近い他人の訪問履歴に、当該ユーザが立ち寄ったことのない立寄施設があるかないかを判断し、当該ユーザが立ち寄ったことのない立寄施設がある場合（ステップＳ１６の判断処理で「Ｙｅｓ」）、さらに、当該ユーザが立ち寄ったことのない立寄施設が、当該ユーザが立ち寄ったことのある立寄施設と同じ種類の立寄施設であるか否かを判断し、同じ種類の立寄施設である場合（ステップＳ１７の判断処理で「Ｙｅｓ」）、立ち寄るとうれしい立寄施設の情報をナビゲーション装置１００に送信する。そして、ナビゲーション装置１００は、受信した立ち寄るとうれしい立寄施設の情報を表示部１５０に表示することとした（ステップＳ１９の処理）。これにより、ナビゲーション装置１００は、当該ユーザが立ち寄ったことのある立寄施設と同じ種類の立寄施設である、当該ユーザにとって新しい立寄施設の情報を表示部１５０に提示することができるようになる。
（第２の実施の形態）
以下、本発明に係る立寄施設情報提示システムの第２の実施の形態について、図５〜図７を参照して説明する。なお、第１の実施の形態と重複する説明については省略する。
【００８３】
図５に示されるように、本実施の形態も、第１の実施の形態に準じた構成を有しており、ユーザ側装置として図示しない車両に搭載されたナビゲーション装置１００ａと、複数のナビゲーション装置１００ａ（図５では１つのみを図示）との間でデータの送受信を行なうセンター側装置２００ａとを備えて構成されたナビゲーションシステム２として具体化されている。
【００８４】
図５（ａ）に示されるように、操作入力部１３０ａは、第１の実施の形態を構成する操作入力部１３０と同様に、例えばタッチパネルや音声入力装置等の適宜の入力装置にて構成されており、ユーザ側制御部１４０ａに接続されている。ただし、当該ナビゲーション装置１００ａのユーザは、この操作入力部１３０ａを操作することにより、出発地、目的施設、及び立寄施設に加え、当該ユーザが立寄施設で購入した購入品の情報である購入品情報及び購入日時の情報である購入日時情報をさらにユーザ側制御部１４０ａへ入力することができる。なお、操作入力部１３０ａは、ユーザが立ち寄った立寄施設が複数の専門店等の店舗が集合して構成されたショッピングモールである場合には、そのショッピングモール名だけでなく、店舗名も入力することが可能である。
【００８５】
情報読取部１３１は、公知の撮像装置及び画像認識装置を含んで構成されており、ユーザ側制御部１４０ａに接続されている。情報読取部１３１は、ユーザが立寄施設で購入品を購入した際に発行された領収書が当該情報読取部１３１にかざされることにより、この領収書に記載された立寄施設、購入品の情報、及び購入日時を認識し、立寄施設情報、購入品情報、及び購入日時情報を取得する。なお、情報読取部１３１は、領収書に記載された立寄施設がショッピングモールである場合には、そのショッピングモール（名）だけでなく店舗（名）も認識することが可能である。これら情報を取得すると、情報読取部１３１は、これら取得した情報をユーザ側制御部１４０ａへ入力する。
【００８６】
ユーザ側制御部１４０ａは、第１の実施の形態のユーザ側制御部１４０と同様に、公知のＣＰＵ及び内蔵メモリを有して構成されるコンピュータであり、そのＣＰＵが内蔵メモリに記憶されているプログラムを実行することによって各種機能を実現している。上記操作入力部１３０ａあるいは情報読取部１３１から、立寄施設情報、購入品情報、及び購入日時情報等が入力されると、ユーザ側制御部１４０ａは、ユーザ側データ通信部１７０ａからセンター側装置２００ａに対し、これら入力された情報をデータとして送信する。
【００８７】
また、図５（ｂ）に示されるように、センター側装置２００ａは、第１の実施の形態を構成するセンター側装置２００に準じた構成を有しており、センター側装置２００と対比して、購入品情報を記憶する購入品情報記憶部２２２をさらに有して構成されている。
【００８８】
センター側データ通信部２１０ａは、第１の実施の形態を構成するセンター側データ通信部２１０と同様に、適宜の周波数帯の電波を送受信可能なアンテナを有して構成されているとともにセンター側制御部２３０ａに接続されている。センター側データ通信部２１０ａは、センター側制御部２３０ａによって制御され、複数のナビゲーション装置１００ａとの間でデータの送受信を行なう。
【００８９】
詳しくは、センター側データ通信部２１０ａは、ナビゲーション装置１００ａから送信された購入品情報を上記データとして受信すると、受信した購入品情報をセンター側制御部２３０ａに出力する。なお、上記操作入力部１３０ａ、上記情報読取部１３１、ユーザ側データ通信部１７０ａ、及びこのセンター側データ通信部２１０ａが特許請求の範囲に記載の購入品情報取得手段に相当する。
【００９０】
購入品情報記憶部２２２は、訪問履歴記憶部２２０や施設情報記憶部２２１と同様に、例えば大規模なハードディスクドライブ装置等によって構成されており、センター側制御部２３０ａに接続されている。購入品情報記憶部２２２は、センター側制御部２３０ａによって、複数のナビゲーション装置１００ａから送信された立寄施設情報、購入品情報、購入日時情報等が適宜書き込まれたり読み出されたりする。
【００９１】
立寄施設リスト作成部２３３ａは、センター側データ通信部２１０ａ、訪問履歴記憶部２２０、及び購入品情報記憶部２２２と接続されている。立寄施設リスト作成部２３３ａは、センター側データ通信部２１０ａから目的施設情報が入力されると、この目的施設情報を入力したユーザ以外のユーザである他人の訪問履歴のうち目的施設を訪問施設とする訪問履歴、すなわち目的施設を訪問したことのある他人の訪問履歴を訪問履歴記憶部２２０から読み出す。立寄施設リスト作成部２３３ａは、他人の訪問履歴を訪問履歴記憶部２２０から読み出すと、その読み出した訪問履歴に含まれる立寄施設情報と一致し、且つ、立寄日時情報のうちの立寄日が購入日時情報のうちの購入日と一致する購入品情報を、購入品情報記憶部２２２から読み出す。そして、立寄施設リスト作成部２３３ａは、目的施設を訪問施設とする立寄施設、この立寄施設を訪問した頻度、この立寄施設で購入した購入品、及び立寄施設がショッピングモールである場合には店舗店を含むリストである立寄施設リストを作成し、センター側データ通信部２１０ａから送信する。このように、訪問履歴記憶部２２０に記憶されている訪問履歴と購入品情報記憶部２２２に記憶されている購入品情報とは、立寄施設情報、立寄日時情報、及び購入日時情報によって紐付けられている。
【００９２】
立寄施設リスト作成部２３３ａは、図６に示すように、ユーザの目的施設が「病院Ａ」であった場合、この「病院Ａ」を訪問したことのある他人の訪問履歴を訪問履歴記憶部２２０から読み出し、「病院Ａ」を訪問する前に立ち寄った立寄施設「花屋Ａ」「ショッピングモール」、これら立寄施設を訪問した頻度「７」「２」、購入品「−」「花」、店舗名「−」「花屋Ｂ」の立寄施設リストを作成する。
【００９３】
図６に示した立寄施設リストの一例では、「病院Ａ」を訪問した他人には、ショッピングモール内にある花屋Ａに立ち寄って花を購入した後に当該病院Ａを訪問し患者を見舞う他人や、花屋Ｂに立ち寄って花を購入した後に当該病院Ａを訪問し患者を見舞う他人が含まれている。
【００９４】
ここで、購入品情報が取得され提示されない構成、すなわち上記第１の実施の形態のナビゲーションシステム１では、次のような事態が生じることも考えられる。
【００９５】
すなわち、ショッピングモールに立ち寄った他人は、実際には、このショッピングモール内の果物屋に立ち寄って果物を購入した後に病院Ａを訪問し患者を見舞う他人であり、しかも、このショッピングモールに花屋がなかった場合、ユーザが「ショッピングモールに立ち寄った他人が多い」との理由でショッピングモールに立ち寄ると、ショッピングモールには花屋がなく、花を購入することができない事態が生じ得る。
【００９６】
しかしながら、本実施の形態のナビゲーションシステム２では、購入品情報が取得されて立寄リストに含まれることから、ユーザが「ショッピングモールに立ち寄った他人が多い」との理由でショッピングモールに立ち寄ろうとした際、その他人の購入品が「果物」であると、ユーザは、これら多数の他人とは病院Ａを訪問する意図が異なることに気付くことができるようになる。
【００９７】
このように、表示部１５０に表示された立寄施設リストに購入品情報も含まれるため、ユーザは、他人がその立寄施設に立ち寄った意図、ひいては目的施設を選択した意図を把握することができるようになる。
【００９８】
以上のように構成された立寄施設情報提示システムは、図７に示す立寄施設情報提示処理Ｓ２を実行する。詳しくは、センター側装置２００ａは、まず、ステップＳ１１の判断処理を繰り返し実行することで、ナビゲーション装置１００ａによる目的施設までの経路案内が開始されるまで待機する。ナビゲーション装置１００ａから目的施設情報を受信すると（ステップＳ１１の判断処理で「Ｙｅｓ」）、センター側装置２００ａは、次に、ステップＳ１２の判断処理として、当該ユーザ以外のユーザである他人の訪問履歴に、当該ユーザの目的施設を訪問施設とする他人の訪問履歴があるか無いかを判断する。ここで、当該ユーザの目的施設を訪問施設とする他人の訪問履歴が無いと判断する場合（ステップＳ１２の判断処理で「Ｎｏ」）、センター側装置２００ａは、そのまま処理Ｓ２を終了する。一方、当該ユーザの目的施設を訪問施設とする他人の訪問履歴があると判断する場合（ステップＳ１２の判断処理で「Ｙｅｓ」）、センター側装置２００ａは、他人の立寄施設リストを作成し、ナビゲーション装置１００ａに送信する。立寄施設リストが送信されると、ナビゲーション装置１００ａは、ステップＳ１４ｃの処理として、他人の立寄施設リストを表示部１５０に表示する。なお、このステップＳ１４ｃの処理にて表示部１５０に表示される他人の立寄施設リストは、購入品情報が含まれた立寄施設リストである。
【００９９】
以上説明した第２の実施の形態では、ナビゲーション装置１００ａは、ユーザが立寄施設で購入品を購入した際に発行される領収書に記載された情報を読み取る情報読取部１３１及びユーザが立寄施設で購入した購入品の情報を入力可能な操作入力部１３０ａを備えており、センター側装置２００ａを構成する立寄施設リスト作成部２３３ａは、ユーザの目的施設の情報及び他人の訪問履歴に加え、他人の購入品情報にも基づいて、目的施設を訪問施設とする立寄施設及びその立寄施設での購入品のリストを作成し、ナビゲーション装置１００ａは、この立寄施設リスト作成部２３３ａによって作成された立寄施設リストを表示部１５０に表示することとした。これにより、表示部１５０に表示された立寄施設リスト（図６）には購入品情報が含まれるため、ユーザは、他人がその立寄施設に立ち寄った意図、ひいては目的施設を選択した意図をより精度良く把握することができるようになる。
【０１００】
なお、上記第２の実施の形態では、ナビゲーションシステム２は、購入品情報取得手段として、操作入力部１３０ａ及び情報読取部１３１の双方を備えていたが、双方を備える必要はない。ナビゲーションシステム２は、操作入力部１３０ａ及び情報読取部１３１の少なくともいずれか一方を備えればよい。また他にも、ナビゲーションシステム２は、購入品情報取得手段として、ユーザ操作により立寄施設で使用されたクレジットカードの番号を入力する操作入力部１３０ａをナビゲーション装置１００ａに備えるとともに、この操作入力部１３０ａによって入力されたクレジットカードの番号に基づいて立寄施設情報及び購入品情報を提供する図示しないカード会社側装置との間で情報の送受信を行なうセンター側装置２００ａを備えることとしてもよい。さらに他にも、ナビゲーションシステム２は、購入品情報取得手段として、立寄施設で使用されたクレジットカードを差し込むとともに差し込まれたクレジットカードの番号を読み出す情報読出部をナビゲーション装置１００ａに備えるとともに、この情報読出部によって読み出されたクレジットカードの番号に基づいて立寄施設情報及び購入品情報を提供する図示しないカード会社側装置との間で情報の送受信を行なうセンター側装置２００ａを備えることとしてもよい。
【０１０１】
また、上記第２の実施の形態では、当該ナビゲーション装置１００ａのユーザは、操作入力部１３０ａを操作することにより、当該ユーザが立寄施設で購入した購入品の情報である購入品情報をユーザ側制御部１４０ａへ入力していたが、購入品情報だけに限らない。当該ナビゲーション装置１００ａのユーザは、操作入力部１３０ａを操作することにより、購入品情報に加えて、当該ユーザが立寄施設で購入する予定の購入品の情報である購入予定品情報をユーザ側制御部１４０ａへ入力可能としてもよい。この場合、ナビゲーションシステム２は、立寄施設リスト（図６）に含まれる立寄施設のうち他人により購入予定品が購入された立寄施設の情報を表示部１５０に提示するとよい。これにより、ユーザが目的施設を選択した意図と同一の意図をもって他人が立ち寄った立寄施設のリストを提示することができるようになる。なお、操作入力部１３０ａが特許請求の範囲に記載の購入予定品情報取得手段に相当する。
【０１０２】
また、ナビゲーションシステム２は、立寄施設リスト（図６）に含まれる立寄施設のうち購入予定品が購入された立寄施設の数が所定数以下（例えば「５［個］」）である場合には、他人により購入予定品が購入されたか否かに関わらず、他人が立ち寄った立寄施設の情報を表示部１５０に提示することとしてもよい。ただし、この場合、購入予定品が購入されていない立寄施設の情報については、単なる参考情報として提示する旨も併せて提示することが望ましい。
【０１０３】
また、ナビゲーションシステム２は、購入品の情報である購入品情報を取得していたが、購入品情報に替えて、あるいは、購入品情報に加えて、購入品が属するカテゴリ情報を取得してもよい。同様に、ナビゲーションシステム２の変形例は、購入予定品の情報である購入予定品情報を取得していたが、購入予定品情報に替えて、あるいは、購入予定品情報に加えて、購入予定品が属するカテゴリ情報を取得してもよい。カテゴリ情報を取得する場合であっても、購入品情報を取得する場合に準じた作用効果を得ることができる。
（第３の実施の形態）
以下、本発明に係る立寄施設情報提示システムの第３の実施の形態について、図８〜図１０を参照して説明する。なお、第１の実施の形態及び第２の実施の形態と重複する説明については省略する。
【０１０４】
図８に示されるように、本実施の形態も、第１の実施の形態及び第２の実施の形態に準じた構成を有しており、ユーザ側装置として図示しない車両に搭載されたナビゲーション装置１００ｂと、複数のナビゲーション装置１００ｂ（図８では１つのみを図示）との間でデータの送受信を行なうセンター側装置２００ｂとを備えて構成されたナビゲーションシステム３として具体化されている。
【０１０５】
着座センサ１３２は、公知の着座センサによって構成されており、車両の各座席（運転席、助手席、及び後部座席）に配置されている。なお、図８（ａ）では、便宜上、着座センサ１３２を１つのみ図示している。着座センサ１３２は、ユーザ側制御部１４０ｂに接続されており、当該着座センサ１３２が配置された座席に着座する乗員を検出し、乗員を検出した場合にはその旨を示す信号である乗員検出信号をユーザ側制御部１４０ｂに出力する。
【０１０６】
ユーザ側制御部１４０ｂは、第１の実施の形態のユーザ側制御部１４０及び第２の実施の形態のユーザ側制御部１４０ａと同様に、公知のＣＰＵ及び内蔵メモリを有して構成されるコンピュータであり、そのＣＰＵが内蔵メモリに記憶されているプログラムを実行することによって各種機能を実現している。
【０１０７】
ユーザ側制御部１４０ｂは、いずれの座席に配置された着座センサ１３２から入力された乗員検出信号であるか判別することが可能である。通常、当該ナビゲーション装置１００ｂのユーザは車両の運転者であることから、ユーザ側制御部１４０ｂは、運転席以外の座席に配置された着座センサ１３２から上記乗員検出信号が入力された場合には「同乗者有り」と判断し、運転席に配置された着座センサ１３２からのみ上記乗員検出信号が入力された場合には「同乗者無し」と判断する。また、ユーザ側制御部１４０ｂは、上記乗員検出信号の数から乗車人数を判断する。
【０１０８】
ユーザ側制御部１４０ｂは、着座センサ１３２から乗員検出信号が入力されるか否かを一定時間（例えば「１［秒］」）毎に繰り返し判断しており、こうして得られた同乗者の有無に係る判断結果及び乗車人数に係る判断結果を、ユーザ側データ通信部１７０ｂからセンター側装置２００ｂに対してデータとして繰り返し送信する。ちなみに、着座センサ１３２及びユーザ側制御部１４０ｂが特許請求の範囲に記載の同行者判断手段に相当し、同乗者が特許請求の範囲に記載の同行者に相当する。
【０１０９】
なお、本実施の形態では、同行者判断手段として、着座センサ１３２を採用したがこれに限らない。他に例えば、ルームミラーとフロントウインドとの間に撮像装置を配置し、車室内を撮像した撮像画像を解析することにより同乗者の有無や乗車人数を判断してもよい。
【０１１０】
また、図８（ｂ）に示されるように、センター側装置２００ｂは、センター側装置２００及び２００ａに準じた構成を有して構成されている。センター側データ通信部２１０ｂは、センター側データ通信部２１０及び２１０ａと同様に、適宜の周波数帯の電波を送受信可能なアンテナを有して構成されているとともにセンター側制御部２３０ｂに接続されている。センター側データ通信部２１０ｂは、センター側制御部２３０ｂによって制御され、複数のナビゲーション装置１００ｂとの間でデータの送受信を行なう。
【０１１１】
詳しくは、センター側データ通信部２１０ｂは、ナビゲーション装置１００ｂから同乗者の有無に係る判断結果及び乗車人数に係る判断結果を上記データとして受信すると、これら受信した判断結果をセンター側制御部２３０ｂに出力する。
【０１１２】
訪問履歴記憶部２２０ａは、施設情報記憶部２２１や購入品情報記憶部２２２と同様に、例えば大規模なハードディスクドライブ装置等によって構成されており、センター側制御部２３０ｂに接続されている。訪問履歴記憶部２２０ａは、センター側制御部２３０ｂによって、複数のナビゲーション装置１００ｂから送信された上記判断結果が適宜書き込まれたり読み出されたりする。
【０１１３】
立寄施設リスト作成部２３３ｂは、センター側データ通信部２１０ｂ、訪問履歴記憶部２２０ａ、及び施設情報記憶部２２１と接続されており、センター側データ通信部２１０ｂから目的施設情報が入力されると、この目的施設情報を入力したユーザ以外のユーザである他人の訪問履歴のうち目的施設を訪問施設とする訪問履歴、すなわち目的施設を訪問したことのある他人の訪問履歴を訪問履歴記憶部２２０ａから読み出す。そして、立寄施設リスト作成部２３３ｂは、目的施設を訪問施設とする立寄施設、この立寄施設を訪問した頻度、この立寄施設の立ち寄り時における同乗者の有無に係る判断結果及び乗車人数に係る判断結果を含むリストである立寄施設リストを作成し、センター側データ通信部２１０ｂから送信する。
【０１１４】
具体的には、図９に示すように、立寄施設リスト作成部２３３ｂは、ユーザの目的施設が「墓地Ａ」であった場合、この「墓地Ａ」を訪問したことのある他人の訪問履歴を訪問履歴記憶部２２０ａから読み出し、「墓地Ａ」を訪問する前に立ち寄った立寄施設「花屋Ｂ」「花屋Ｃ」、これら立寄施設を訪問した頻度「７」「２」、同乗者の有無に係る判断結果「無」「有」、乗車人数に係る判断結果「１」「４」の立寄施設リストを作成する。
【０１１５】
図９に示した立寄施設リストの一例では、「墓地Ａ」を訪問した他人には、花屋Ｂに立ち寄って花を購入した後に当該墓地Ａを訪問し花を供える他人や、花屋Ｃに立ち寄って花を購入した後に当該墓地Ａを訪問し花を供える他人が含まれている。
【０１１６】
ここで、同乗者の有無に係る判断結果が取得され提示されない構成、すなわち上記第１の実施の形態のナビゲーションシステム１では、次のような事態が生じることも考えられる。
【０１１７】
すなわち、花屋Ｂに立ち寄った他人は、実際には、その他人自身単独で小規模な花屋に立ち寄って花を購入し墓地Ａを訪問する意図を有していた場合、同乗者を多数伴なって大規模な花屋に立ち寄って花を購入し墓地Ａを訪問する意図を有するユーザが「花屋Ｂに立ち寄った他人が多い」との理由で花屋Ｂに立ち寄ると、意図通りに墓地Ａを訪問することができなくなってしまう事態が生じ得る。
【０１１８】
しかしながら、本実施の形態のナビゲーションシステム３では、同乗者の有無に係る判断結果及び乗車人数に係る判断結果が取得されて立寄リストに含まれることから、ユーザが「花屋Ｂに立ち寄った他人が多い」との理由で花屋Ｂに立ち寄ろうとした際、その他人が同乗者無し」であると、ユーザは、これら多数の他人とは墓地Ａを訪問する意図が異なることに気付くことができるようになる。
【０１１９】
このように、表示部１５０に提示された立寄施設リストには同乗者の有無に係る判断結果及び乗車人数に係る判断結果も含まれるため、ユーザは、他人がその立寄施設に立ち寄った意図、ひいては目的施設を選択した意図を把握することができるようになる。
【０１２０】
以上のように構成された立寄施設情報提示システムは、図１０に示す立寄施設情報提示処理Ｓ３を実行する。詳しくは、センター側装置２００ｂは、まず、ステップＳ１１の判断処理を繰り返し実行することで、ナビゲーション装置１００ｂによる目的施設までの経路案内が開始されるまで待機する。ナビゲーション装置１００ｂから目的施設情報を受信すると（ステップＳ１１の判断処理で「Ｙｅｓ」）、センター側装置２００ｂは、次に、続くステップＳ１２の判断処理として、当該ユーザ以外のユーザである他人の訪問履歴に、当該ユーザの目的施設を訪問施設とする他人の訪問履歴があるか無いかを判断する。ここで、当該ユーザの目的施設を訪問施設とする他人の訪問履歴が無いと判断する場合（ステップＳ１２の判断処理で「Ｎｏ」）、センター側装置２００ｂは、そのまま処理Ｓ３を終了する。一方、当該ユーザの目的施設を訪問施設とする他人の訪問履歴があると判断する場合（ステップＳ１２の判断処理で「Ｙｅｓ」）、センター側装置２００ａは、他人の立寄施設リスト（図９参照）を作成し、ナビゲーション装置１００ｂに送信する。立寄施設リストが送信されると、ナビゲーション装置１００ｂは、ステップＳ３３の処理として、ユーザが運転する車両に同乗者があるか否かを判断する。ここで、同乗者があると判断された場合（ステップＳ３３の判断処理で「Ｙｅｓ」）、ナビゲーション装置１００ｂは、続くステップＳ１４ｄの処理として、立寄施設リスト（図９）に含まれる立寄施設のうち同乗者は有るとの判断結果であった立寄施設の情報を表示部１５０に表示し、そのまま処理Ｓ３を終了する。一方、同乗者があると判断されなかった場合（ステップＳ３３の判断処理で「Ｎｏ」）、ナビゲーション装置１００ｂは、続くステップＳ１４ｅの処理として、立寄施設リスト（図９）に含まれる立寄施設のうち同乗者は無いとの判断結果であった立寄施設の情報を表示部１５０に表示し、そのまま処理Ｓ３を終了する。
【０１２１】
以上説明した第３の実施の形態では、ナビゲーション装置１００ｂは、同乗者の有無及び乗車人数を判断するための着座センサ１３２を備えており、センター側装置２００ｂを構成する立寄施設リスト作成部２３３ｂは、目的施設を訪問施設とする立寄施設、この立寄施設を訪問した頻度、この立寄施設の立ち寄り時における同乗者の有無に係る判断結果及び乗車人数に係る判断結果を含むリストである立寄施設リストを作成する。そして、ナビゲーション装置１００ｂは、同乗者がいると判断された場合には、立寄施設リストに含まれる立寄施設のうち同乗者は有るとの判断結果であった立寄施設の情報を表示部１５０に表示する一方、同乗者がいないと判断された場合には、立寄施設リストに含まれる立寄施設のうち同乗者は無いとの判断結果であった立寄施設の情報を表示部１５０に表示することとした。これにより、同乗者が有る場合と同乗者が無い場合とを区別して、立寄施設リストを提示することができるようになる。
【０１２２】
なお、上記第３の実施の形態では、ナビゲーションシステム３は、同乗者の有無に係る判断結果及び乗車人数に係る判断結果を双方とも含む立寄施設リスト（図９）を作成していたが、いずれか一方のみ含む立寄施設リストを作成してもよい。
【０１２３】
また、ナビゲーションシステム３は、立寄施設リスト（図９）に含まれる立寄施設のうち車両に同乗者は無いとの判断結果であった立寄施設の数が所定数以下（例えば「５［個］」）である場合には、同乗者の有無に係る判断結果に関わらず立寄施設の情報を表示部１５０に表示することとしてもよい。ただし、この場合、同乗者があるとの判断結果であった立寄施設の情報については、単なる参考情報として提示する旨も併せて提示することが望ましい。
【０１２４】
同様に、ナビゲーションシステム３は、立寄施設リスト（図９）に含まれる立寄施設のうち車両に同乗者は有るとの判断結果であった立寄施設の数が所定数以下（例えば「５［個］」）である場合には、同乗者の有無に係る判断結果に関わらず立寄施設の情報を表示部１５０に表示することとしてもよい。ただし、この場合、同乗者が無いとの判断結果であった立寄施設の情報については、単なる参考情報として提示する旨も併せて提示することが望ましい。
【符号の説明】
【０１２５】
１，２，３…ナビゲーションシステム（立寄施設情報提示システム）、１００〜１００ｂ…ナビゲーション装置（ユーザ側装置）、１１０…地図情報記憶部、１２０…ＧＰＳ受信部、１３０，１３０ａ…操作入力部、１３１…情報読取部（購入品情報取得手段，購入予定品情報取得手段）、１３２…着座センサ（同行者判断手段）、１４０〜１４０ｂ…ユーザ側制御部、１４１…現在地検出部、１４２…目的施設設定部、１４３…経路探索部、１４４…経路案内部、１５０…表示部、１６０…音声出力部、１７０、１７０ａ…ユーザ側データ通信部、２００〜２００ｂ…センター側装置、２１０〜２１０ｂ…センター側データ通信部、２２０，２２０ａ…訪問履歴記憶部、２２１…施設情報記憶部、２２２…購入品情報記憶部、２３０〜２３０ｂ…センター側制御部、２３１…ユーザ判別部、２３２…他人抽出部、２３３〜２３３ｂ…立寄施設リスト作成部
【図１】
0005471907.tif 000002
【図２】
0005471907.tif 000003
【図３】
0005471907.tif 000004
【図４】
0005471907.tif 000005
【図５】
0005471907.tif 000006
【図６】
0005471907.tif 000007
【図７】
0005471907.tif 000008
【図８】
0005471907.tif 000009
【図９】
0005471907.tif 000010
【図１０】
0005471907.tif 000011